(57)【要約】【課題】この発明は、段ボール箱の中で隣接する容器のフランジが乗り上げることを防止し、仕切り板を用いることなく果物のフランジによる損傷を防止することを第一の課題とし、フィルムの接着を確実にすることを第二の課題とするものである。【解決手段】この発明の包装用容器は、平面視多角形で上方が開口した箱状の容器１において、容器周壁２の上縁３の外側に垂下壁５を連設したものである。  垂下壁５は段ボール箱に収納されたときに隣接する容器に収納された果物をフランジで損傷することを防止するためのものであるから、その限りで設けられていればよい。【選択図】図４
2008114872.tif 000002
【特許請求の範囲】
【請求項１】
平面視多角形で上方が開口した箱状の容器において、容器周壁の上縁外側に垂下壁を連設した、包装用容器
【請求項２】
容器は平面視方形とし、対向する２周壁の上縁に垂下壁を連設した、請求項１記載の包装用容器
【請求項３】
全ての周壁の上縁に垂下壁を連設し、垂下壁は環状壁を形成した、請求項１記載の包装用容器
【請求項４】
１又は複数の周壁の上縁には凹部を形成した、請求項１ないし３の何れかに記載の包装用容器
【発明の詳細な説明】
【技術分野】
【０００１】
この発明は包装用容器、特にイチゴやサクランボなどの果物の包装に適した包装用容器に関するものである。
【背景技術】
【０００２】
従来、イチゴやサクランボなどの果物を包装するための容器は、合成樹脂シート製で、平面視多角形の箱状であって、上縁にフランジが形成されたものが使用されている。しかしながら、従来の容器においては以下のような問題点があった。
【０００３】
ア）一般にこの種の容器は、果物を収納して複数の容器を段ボール箱に収納して運搬される。その際に、フランジがとなりの容器のフランジ上に乗り上げ、その結果、フランジでとなりの容器に包装されている果実を損傷する場合がある。特に、イチゴやサクランボは傷が付きやすいため、運搬中に品質が劣化することとなり、大きな問題となっている。
イ）上記問題を解決するためには、容器の間に仕切り板を挟み込むことにより、フランジの乗り上げを防止する方策がとられている。しかしながら、多数の包装容器を段ボール箱に詰める作業を行う際に、個別に仕切り板を挟み込むことは作業性を低下させる大きな要因となっている。
ウ）容器に果物を詰めた後、果物が容器からこぼれ落ちることを防止するために、容器の上面をフィルムで覆うことが必要とされている。このフィルムの両端部は容器の周壁に粘着剤で接着する。しかしながら、従来の容器は強度上の要請から周壁に縦方向のリブが設けられているので、フィルムを貼り付ける面積が小さく、フィルムが剥がれやすいという問題がある。
【０００４】
この発明は、上記問題点を解決するために垂下壁を形成するものであるが、容器の上部に垂下壁を形成したものとして意匠登録第１０１１５３８号の意匠がある。
しかしながら、この意匠は容器の蓋に垂下壁を設けたものであって容器本体に設けたものではない。したがって、この意匠における垂下壁は、隣接する容器にフランジが乗り上げることによる内容物の損傷回避を目的としたものとは理解できない。
【特許文献１】意匠登録第１０１１５３８号意匠公報
【発明の開示】
【発明が解決しようとする課題】
【０００５】
この発明は、段ボール箱の中で隣接する容器のフランジが乗り上げることを防止し、仕切り板を用いることなく果物のフランジによる損傷を防止することを第一の課題とし、フィルムの接着を確実にすることを第二の課題とするものである。
【課題を解決するための手段】
【０００６】
この発明の包装用容器は、平面視多角形で上方が開口した箱状の容器において、容器周壁の上縁外側に垂下壁を連設したものである。
垂下壁は段ボール箱に収納されたときに隣接する容器に収納された果物をフランジで損傷することを防止するためのものであるから、その限りで設けられていればよい。すなわち、段ボール箱に二つずつ入れることが決まっている場合には、他の容器と隣接する周壁は一面であるから、一面の上縁のみに垂下壁を設ければ、目的は達せられることになる。
また、垂下壁の上下寸法も、数ミリから１センチ程度で足りる。
【０００７】
請求項２の発明は、容器を平面視方形とし、対向する２周壁の上縁に垂下壁を連設したものである。
垂下壁は強度上の要請がないのでリブを設ける必要がない。そこで、垂下壁を対向して設けることによりこの垂下壁にフィルムを接着することが可能となり、フィルムの接着面積が増大し、フィルムは剥がれにくくなる。
容器が平面視長方形であれば、段ボール箱に容器を２個収納する場合は長縁同士を隣接させること、フィルムは上縁間に貼付することが好ましいことから、長縁に垂下壁を設けることが好ましい。
なお、垂下壁に適宜リブを設けることを否定するものではない。
【０００８】
請求項３の発明は、全ての周壁の上縁に垂下壁を連設し、垂下壁は環状壁を形成したものである。垂下壁が環状壁を構成することにより、容器側方に垂下壁の切り離し縁が存在することがないので、取り扱い上安全である。
【０００９】
請求項４の発明は、１又は複数の周壁の上縁に凹部を形成したものである。凹部が存在することによりフィルムを貼付した後においても凹部を介して空気が流通するので、通気性が確保され、果物の鮮度が維持される。
【発明の効果】
【００１０】
この発明によれば、この包装用容器を段ボール箱に複数並べて収納したとき、隣接する容器の垂下壁同士が当接する。したがって、仕切り板を用いることなく、フランジがとなりの容器のフランジに乗り上げて内容物を損傷することが回避できる。
【発明を実施するための最良の形態】
【００１１】
以下この発明の実施形態を説明する。
図１，２において、平面視長方形とした箱形の容器１の周壁２の上縁３に、僅かな幅の水平部４が連設してあり、水平部４の外縁に垂下壁５が連設してある。また、容器１の対向する両短縁３ａの上縁は幅広の凹部６が形成してある。
上記のように構成された包装用容器は、合成樹脂シートの成形品であって、垂下壁５はリブがなく平滑であり、弾性変形可能である。そして、垂下壁の上下寸法は３センチとしてある（容器１の深さは約４センチ）。
【００１２】
この容器の使用方法は以下のとおりである。まず、中に果物１０を収納し、フィルム１１を容器の長縁間に被せ、その端部を垂下壁５の長縁部外面に接着する。次いで２つ又は４つの容器を段ボール箱１２に収納して出荷する。
【００１３】
上記出荷状態において、フィルム１１は平滑な垂下壁５に接着されているので剥がれにくく、またフィルム１１が被覆された状態においても凹部６が存在するので、空気の流通が確保される。
そして、段ボール箱の中において、隣接する容器は垂下壁５の外面同士が接触しているので、従来の容器のようなフランジの乗り上げが生ずるおそれはなく、仕切り板を用いずとも、果物がとなりの容器のフランジで傷つけられることはない。
また、垂下壁５は弾性変形可能であるから、容器を段ボール箱に収納する際に垂下壁が邪魔になることはなく、従来と同じ大きさの段ボール箱で対応することができる。
【産業上の利用可能性】
【００１４】
この発明は、果物を損傷することなく輸送することのできる容器として、産業上利用可能性を有するものである。
【図面の簡単な説明】
【００１５】
【図１】この発明実施形態の斜視図
【図２】同じく長軸方向の断面図
【図３】同じく短軸方向の断面図
【図４】同じく段ボール箱に収納した状態の断面図
【符号の説明】
【００１６】
１    容器
２    周壁
３    上縁
４    水平部
５    垂下壁
６    凹部
１０  果物
１１  フィルム
１２  段ボール箱
【図１】
2008114872.tif 000003
【図２】
2008114872.tif 000004
【図３】
2008114872.tif 000005
【図４】
2008114872.tif 000006